(57)【要約】【課題】  構造簡易で廉価であり、指先を傷付けずに爪先だけを良好な状態に磨き上げることを可能とする。【解決手段】  柔軟材料によって成形した本体部２に、断面が円弧状の内周壁を有して主面に開口する爪磨き凹陥部４を形成し、この爪磨き凹陥部４内に爪磨き手段３を設けて構成される。【選択図】  図１
0003104492.tif 000002
【実用新案登録請求の範囲】
【請求項１】
柔軟材料によって成形した本体部に、断面が円弧状の内周壁を有して主面に開口する爪磨き凹陥部を形成し、この爪磨き凹陥部内に爪磨き手段を設けたことを特徴とする爪磨き器。
【請求項２】
本体部に砥粒の粗さが大きい荒磨き用爪磨き手段を設けた第１爪磨き器と、本体部に砥粒の粗さが小さい仕上げ用爪磨き手段を設けた第２爪磨き器との１組によって構成されることを特徴とする請求項１に記載の爪磨き器。
【請求項３】
柔軟材料によって成形されるとともに、断面が円弧状の内周壁を有して主面に開口する嵌合凹陥部を形成した本体部材と、
上記本体部材の上記嵌合凹陥部と略同形とされるとともに着脱自在とされ、断面が円弧状に形成された内周面に磨き砥粒を分散してなる爪磨き凹陥部が設けられた爪磨き体とから構成され、
それぞれ砥粒の粗さを異にして複数個が用意された上記爪磨き体が、選択されて上記本体部材に組み合わされることを特徴とする爪磨き器。
【考案の詳細な説明】
【技術分野】
【０００１】
本考案は、爪先を整えて滑らかに磨き上げるようにする爪磨き器に関する。
【背景技術】
【０００２】
爪磨きは、爪切りで切った鋭利でかつ不揃いな状態の爪先を滑らかな形状に仕上げる等のために行われている。爪磨きは、マニキュアやネールアートを施す際の下処理として極めて重要であるが、例えば爪切りのレバー片に一体に形成されたヤスリ等では板状でありかつ粗さが一定であって爪先を希望通りの滑らかできれいな円弧状に仕上げることが困難であり、種々の爪磨き器が用いられている。
【０００３】
例えば、実開平７−２０１０５号公報（文献１）には、先端部を円弧状に湾曲させたプレート片の内面に粘着剤層を介してヤスリ体を接合してなる爪磨き器が開示されている。また、特開平７−８３１８号公報（文献２）には、金属薄板に多数個の透孔を形成するとともに凹面形状とした爪磨き器が開示されている。さらに、特開平６−２０９８１９号公報（文献３）には、円弧状に形成された固定板に、ウレタンフォーム層を介してサンドペーパを設けた爪磨き器が開示されている。
【考案の開示】
【考案が解決しようとする課題】
【０００４】
上述した各特許文献に開示された爪磨き器は、何れも爪の全体が当たるようにヤスリ部分が円弧状に形成されることにより、爪先を円弧状に整えて滑らかに磨き上げるように構成されている。
【０００５】
文献１の爪磨き器は、手持ちしながら使用するために、利き腕の爪を磨く場合に上手く磨けずまた指先を誤って擦って傷を付けてしまうこともある。文献２の爪磨き器は、金属製であるために滑らかな仕上がりを得ることができないばかりでなく、爪先を整えることは可能であるが爪の表面を磨くのには適当でない。また、文献２の爪磨き器も、誤って指先を擦って傷を付けてしまうこともある。
【０００６】
文献３の爪磨き器は、サンドペーパにウレタンフォーム層を裏打ちした構造であることから、爪を押し当てられることによってサンドペーパが撓み、指先が擦れても傷付きが防止されるようになる。しかしながら、爪磨き器は、大型であり、構造も複雑であることから高価となってしまうとともに把持して使用するにも不便となって子供達では上手く磨くことができない。
【０００７】
したがって、本考案は、指先を傷付けずに爪先だけを良好な状態に磨き上げることを可能とする構造簡易で廉価な爪磨き器を提供することを目的に提案されたものである。
【課題を解決するための手段】
【０００８】
上述した目的を達成する本考案にかかる爪磨き器は、柔軟材料によって成形した本体部に、断面が円弧状の内周壁を有して主面に開口する爪磨き凹陥部を形成し、この爪磨き凹陥部の内周壁面に爪磨き手段を設けてなる。
【０００９】
以上のように構成された爪磨き器においては、一方の手で本体部を把持した状態で他方の手の指先が爪磨き凹陥部に差し込まれて爪先を内周壁面に押し付けられるようにする。爪磨き器においては、この状態で指先が左右に往復移動されることによって、柔軟材料によって成形した本体部を裏打ちした爪磨き手段が爪先を円弧状の形状に倣って滑らかな状態に磨き上げる。爪磨き器においては、本体部が柔軟材料によって成形されることで、滑りを防止して持ち易くするとともに指先が擦れても傷付きを防止して爪先だけが良好に磨き上げられるようにする。
【００１０】
また、本考案にかかる爪磨き器は、本体部に砥粒の粗さが大きい荒磨き用爪磨き手段を設けた第１爪磨き器と、本体部に砥粒の粗さが小さい仕上げ用爪磨き手段を設けた第２爪磨き器との少なくとも一対によって構成される。
【００１１】
さらに、本考案にかかる爪磨き器は、柔軟材料によって成形されるとともに断面が円弧状の内周壁を有して主面に開口する嵌合凹陥部を形成した本体部材と、この本体部材の嵌合凹陥部と略同形とされるとともに着脱自在とされかつ断面が円弧状に形成された内周面に磨き砥粒を分散してなる爪磨き凹陥部が設けられた爪磨き体とから構成される。爪磨き器には、爪磨き凹陥部に粗さを異にした砥粒を分散させた少なくとも一対の爪磨き体が用意される。
【００１２】
以上のように構成された爪磨き器においては、粗さの大きな砥粒を分散した荒磨き用の爪磨き体を本体部材に組み合わせて爪先の荒磨きが行われるようにする。爪磨き器においては、荒磨きを行った後に本体部材から荒磨き用爪磨き体を取り外すとともに、本体部材に粗さの小さな砥粒を分散した仕上げ磨き用の爪磨き体を組み合わせて爪先の仕上げ磨きが行われるようにする。
【考案の効果】
【００１３】
以上のように構成された本考案にかかる爪磨き器によれば、爪磨き凹陥部内に指先を差し込んで左右に往復移動する簡易な操作によって爪先を円弧状の形状に倣って滑らかな状態に磨き上げることを可能とする。爪磨き器によれば、持ち易くかつ指先の当たりが柔らかなことから擦れても傷付くことは無く、使用勝手が良いとともに安全性も極めて高い。
【００１４】
また、本考案にかかる爪磨き器によれば、簡易な操作によって荒磨き用と仕上げ磨き用との使い分けが可能であり、より良好な爪磨きを行うことが可能である。
【考案を実施するための最良の形態】
【００１５】
以下、本考案の実施の形態として図面に示した爪磨き器について詳細に説明する。第１の実施の形態として図１及び図２に示した爪磨き器１は、本体部材２と、爪磨き体３とから構成される。爪磨き器１は、詳細を後述する簡易な構造であって低コストで製作されて提供されることから、ある程度の回数を使用した後はそのまま廃棄されるいわゆる使い捨て用として用いられる。爪磨き器１は、後述するように、本体部材２を共通部品としてこれに仕様を異にする爪磨き体３を組み合わせた荒磨き用と仕上げ磨き用とを一対として提供される。
【００１６】
なお、爪磨き器１は、上述した使用態様に限定されるものではなく、例えば本体部材２に爪磨き体３を着脱自在に組み合わせるように構成し、爪磨き体３のみを交換することによって繰り返して使用する用にしてもよい。また、爪磨き器１は、特に荒磨き用と仕上げ磨き用とに区分することなく、標準仕様として１個で提供されるようにしてもよい。
【００１７】
爪磨き器１は、本体部材２を、柔軟性を有する材料、例えばゴムやエラストマー或いは発泡ウレタン樹脂等の合成樹脂材によって全体略矩形ブロック状に成形してなる。爪磨き器１は、図２に示すように本体部材２が爪磨き凹陥部４を開口させた第１主面２ａを上側にして、一方の手の指先で摘むようにして把持される。爪磨き器１は、本体部材２を上述したように柔軟性を有する材料によって成形することで、外周部が爪磨き凹陥部４内へとやや弾性変形して軽い力でも指先の滑りが防止されてしっかりと保持される。
【００１８】
爪磨き凹陥部４は、平均的な大人の最も大きな親指の指先を差し入れて所定の幅で往復移動させるに足る矩形の開口部４ａを有している。爪磨き凹陥部４は、長さ方向の相対する内面壁と底面壁とを緩やかな曲率を有する円弧状に形成して爪磨き体受け面４ｂを構成してなる。爪磨き凹陥部４は、爪磨き体受け面４ｂが、差し入れた指先を長さ方向に往復移動させた際に、爪先の両側部位が当たるような曲率を以って形成される。
【００１９】
なお、爪磨き器１は、爪磨き凹陥部４の形状や大きさを異にする複数種をセットにして提供してユーザが自分の指先に合う好みのものを選択するようにしてもよい。爪磨き器１は、例えば爪磨き凹陥部４の大きさを変えて、大人用と子供用とに分けて提供するようにしてもよい。
【００２０】
爪磨き体３は、例えば厚紙等の基材の表面に適宜の接着剤を混合した砥粒等の研磨材を吹き付けることにより砥粒を分散して付着させたサンドペーパによって構成される。爪磨き体３は、爪磨き凹陥部４の開口寸法に対してその外形寸法が、ほぼ同幅でかつやや大きな長さを以って形成されている。爪磨き体３には、例えば粗さが例えば５００番程度とやや大きな砥粒を用いた荒磨き用と、粗さが例えば１０００番程度とやや小さな砥粒を用いた仕上げ磨き用とが用いられる。
【００２１】
爪磨き体３は、裏面側に粘着剤を塗布して粘着剤層５が形成されており、爪磨き凹陥部４の開口部４ａから爪磨き凹陥部４内に嵌合されることにより粘着剤層５を介して裏面を爪磨き体受け面４ｂ上に接合される。爪磨き体３は、図１に示すように爪磨き体受け面４ｂの円弧状曲面に倣って、爪磨き凹陥部４内に固定される。
【００２２】
なお、爪磨き器１は、爪磨き体３を粘着剤によって爪磨き凹陥部４内に固定するようにしたが、かかる構造に限定されるものでは無い。爪磨き器１は、例えば爪磨き凹陥部４の長さ方向の相対する内面壁に開口部４ａからやや内側に位置してそれぞれ係止凸部を一体に形成し、これら係止凸部によって爪磨き体３の長さ方向の両端部を係止して爪磨き凹陥部４内に保持するようにしてもよい。
【００２３】
以上のように構成された爪磨き器１においては、図２に示すように本体部材２の幅方向の外周部が一方の手の指先で摘むようにして把持され、他方の手の指先が爪磨き凹陥部４内に差し込まれて爪先を爪磨き体３に押し付けられる。爪磨き器１においては、爪磨き体受け面４ｂに接合された爪磨き体３が、上述したように柔軟材料で成形された本体部材２に接合されることによってクッション材を裏打ちした構造と同等とされることで円弧状の爪先に倣ってやや湾曲した状態となる。
【００２４】
爪磨き器１においては、この状態で差し込まれた指先が左右に往復移動されることにより、爪磨き体３が爪先を円弧状に磨き上げる。爪磨き器１においては、本体部材２が柔軟材料で成形されることにより、指先が擦れても傷付きを防止して爪先だけを良好に磨き上げられるようにする。
【００２５】
第２の実施の形態として図３に示した爪磨き器１０も、本体部材１１と、爪磨き体１２とから構成される。爪磨き器１０は、本体部材１１が、上述した本体部材２と同様の柔軟材料が用いられて円柱状に成形される。本体部材１１には、第１主面１１ａに円形に開口する爪磨き凹陥部１３が形成されている。爪磨き凹陥部１３は、同図に示すように内周壁が深さ方向に対して次第に内径を小さくするいわゆるすり鉢形の凹部からなり、断面が円弧状を呈している。
【００２６】
爪磨き体１２は、例えば合成樹脂材料によって上述した爪磨き凹陥部１３と同形のすり鉢形状に成形された基材の内周面に砥粒等の研磨材を分散して付着させてなる。爪磨き体１２は、基材が研磨材を担持する機能を有すればよく、例えば合成樹脂フィルムや紙材を用いてすり鉢形状に成形したものであってもよい。爪磨き体１２には、外周面の適宜の位置に両面粘着テープ１４が接合されている。
【００２７】
爪磨き器１０には、図３に示すように、外形が同一形状であるが内周面に粗さが小さな砥粒を付着させた仕上げ磨き用爪磨き体１２Ａと、粗さが大きな砥粒を付着させた荒磨き用爪磨き体１２Ｂとが提供される。爪磨き器１０においては、これら仕上げ磨き用爪磨き体１２Ａと荒磨き用爪磨き体１２Ｂとが選択されて、本体部材１１を共用部材としてその爪磨き凹陥部１３内に嵌め込まれる。爪磨き体１２は、両面粘着テープ１４によって爪磨き凹陥部１３内に接合される。
【００２８】
以上のように構成された爪磨き器１０においては、本体部材１１が一方の手の指先で外周部を摘むようにして把持され、他方の手の指先が爪磨き体１２内に差し込まれて爪先を押し付けられる。爪磨き器１０においては、爪磨き凹陥部１３内に接合された爪磨き体１２が、円弧状の爪先に倣ってやや湾曲した状態となる。
【００２９】
爪磨き器１０においては、この状態で差し込まれた指先が左右、前後に旋回するように移動されることにより、爪磨き体１２が爪先を円弧状に磨き上げる。爪磨き器１０においては、本体部材１１を柔軟材料によって成形したことにより、指先が擦れても傷付きを防止して爪先だけを良好に磨き上げられるようにする。
【００３０】
爪磨き器１０においては、荒磨き用爪磨き体１２Ｂを本体部材１１の爪磨き凹陥部１３に組み合わせて用いることにより、爪先をある程度の仕上がり状態で素早く整えるようにする。爪磨き器１０においては、荒磨き用爪磨き体１２Ｂを爪磨き凹陥部１３内から引き出して仕上げ磨き用爪磨き体１２Ａと交換する。爪磨き器１０においては、仕上げ磨き用爪磨き体１２Ａによって滑らかな状態に仕上げる。爪磨き器１０においては、爪磨き体１２をすり鉢状としたことによって、爪先ばかりでなく表面も同時に滑らかに磨き上げる。
【００３１】
なお、爪磨き器１０においては、上述したように本体部材１１の爪磨き凹陥部１３内に仕上げ磨き用爪磨き体１２Ａと荒磨き用爪磨き体１２Ｂとを選択して組み合わせるようにしたが、接合強度の大きい両面粘着テープ１４を用いた場合に取り外しが面倒となる。爪磨き器１０においては、交換を容易にするために粘着力が小さな両面粘着テープ１４を用いた場合に、指先を旋回することによって爪磨き凹陥部１３内で爪磨き体１２が回ってしまうことがある。したがって、爪磨き器１０においては、図３に示すように爪磨き凹陥部１３の内周壁に複数の係合凹溝１５を形成するとともに爪磨き体１２側に係合凸部１６を形成し、これら係合凹溝１５と係合凸部１６とが係合することで爪磨き体１２を回り止めするようにしてもよい。
【００３２】
また、爪磨き器１０においては、本体部材１１の爪磨き凹陥部１３内に両面粘着テープ１４によって爪磨き体１２を接合するようにしたが、かかる構造に限定されるものでは無い。爪磨き器１０は、例えば爪磨き凹陥部１３の開口縁に沿って凸部を形成し、この凸部によって爪磨き体１２の開口縁を係止することによって爪磨き体１２を本体部材１１に着脱自在に組み合わせるようにしてもよい。
【００３３】
第３の実施の形態として図４に示した爪磨き器２０も、本体部材２１が、上述した本体部材２と同様の柔軟材料を用いて成形され、第１主面２１ａに円形に開口するすり鉢状の爪磨き凹陥部２２が形成された基本構造を上述した本体部材１１と同様とする。爪磨き器２０においては、爪磨き凹陥部２２の内周壁面に適宜の接着剤を混合した砥粒等の研磨材を吹き付けることによって、直接爪磨き部２３を形成してなる。
【００３４】
爪磨き器２０は、粗さが小さな砥粒を付着させた仕上げ磨き用爪磨き器２０Ａと、粗さが大きな砥粒を付着させた荒磨き用爪磨き器２０Ｂとの一対がセットで提供されるようにする。爪磨き器２０は、本体部材２１が比較的廉価に製作されるとともに、この本体部材２１に対して爪磨き部２３を直接形成することから、一対をセットで提供しても上述した各爪磨き器１、１０とほぼ同等の価格で提供することが可能である。
【図面の簡単な説明】
【００３５】
【図１】第１の実施の形態として示す爪磨き器の一部切欠き斜視図である。
【図２】同爪磨き器の使用状態を示す斜視図である。
【図３】第２の実施の形態として示す爪磨き器の斜視図である。
【図４】第３の実施の形態として示す爪磨き器の縦断面図である。
【符号の説明】
【００３６】
１  爪磨き器、２  本体部材、３  爪磨き体、４  爪磨き凹陥部、５  粘着剤層、１０  爪磨き器、１１  本体部材、１２  爪磨き体、１３  爪磨き凹陥部、２０  爪磨き器、２１  本体部材、２２  爪磨き凹陥部、２３  爪磨き部
【図１】
0003104492.tif 000003
【図２】
0003104492.tif 000004
【図３】
0003104492.tif 000005
【図４】
0003104492.tif 000006